(57)【要約】【課題】  実際のサーフィンの感覚からかけ離れていること。【解決手段】  このバランスボード１００は、略矩形の本体１と、本体１の上に配置する楕円形のスライド本体２と、本体１の下に配置するローラ３とから構成され、本体１の底側の長手方向両側には段部４が設けられ、この間には、弾性板５が渡されている。ユーザがローラ３を地面に置き、その上に本体１及びスライド本体２を載せ、バランスボード１００の上に乗る。ユーザの体重が加わると、本体１の弾性板が湾曲状にしなってローラ３が中央に移動する力が働く。そして、ユーザが体重移動することで全体が斜めに傾き、更にスライド本体２が本体１上を移動する。このように、弾性板５がしなってローラ３の動きに安定感が出るとともにスライド本体２の移動も加わり、水面に近い感覚が得られ、実際のサーフィンに近い感覚が得られる。【選択図】図１
2013230279.tif 000002
【特許請求の範囲】
【請求項１】
前後方向の底面両側に段部を有すると共に底面に微小凹凸が形成された板状の本体と、
前記本体を支持する紙管からなるローラと、
を備えたことを特徴とするバランスボード。
【請求項２】
更に、前記本体の幅方向に凹凸を形成したことを特徴とする請求項１に記載のバランスボード。
【請求項３】
更に、前記本体の幅方向に前記裏面が湾曲していることを特徴とする請求項１又は２に記載のバランスボード。
【請求項４】
更に、前記ローラの長さが、前記本体の長さより長いことを特徴とする請求項１〜３のいずれか一つに記載のバランスボード。
【請求項５】
底面両側に段部を設け当該段部と段部との間に弾性板を設けた板状の本体と、
本体の上部に配置され且つ当該本体との間にスライド手段を有するスライド本体と、
本体とスライド本体との間であってそのスライド方向に設けたスプリングと、
前記弾性体の下に配置するためのローラと、
を備えたことを特徴とするバランスボード。
【請求項６】
更に、前記本体に垂直部が垂設され、スライド本体には前記垂直部が入る開口部を有すると共に当該開口部にブラケットが設けられ、この垂直部とブラケットとの間に前記スプリングが着脱自在に配置され、開口部には着脱自在に蓋が設けられることを特徴とする請求項４に記載のバランスボード。
【請求項７】
底面両側に段部を設け当該段部と段部との間に弾性板を設けた板状の本体と、
前記本体を支持する紙管からなるローラと、
を備えたことを特徴とするバランスボード。
【発明の詳細な説明】
【技術分野】
【０００１】
本発明は、自動車のハッチゲートにウエットスーツ等の重量物を吊下げる場合に当該ハッチゲートが下がらないようにするバランスボードに関するものである。
【背景技術】
【０００２】
従来、サーフィンの練習をする器具としては、特許文献１に開示されているような滑走具が知られていた。この滑走具はボードの長手方向の両側に４個の車輪を設け、ボードがその長手方向に配置された軸上を中心として左右に可動する構造である。ユーザは、車輪により前後方向に移動し、ボードが左右に可動することで、前後左右にバランスを取りながらボードに載る。これにより、海上でサーフボードに乗っている感覚が得られ、陸上でのトレーニングが可能となる。
【先行技術文献】
【特許文献】
【０００３】
【特許文献１】特開２００２‐３０１１８４号公報
【発明の概要】
【発明が解決しようとする課題】
【０００４】
しかしながら、上記従来の滑走具では、ボードの前後左右に車輪を設けていることから、前後方向の上下が安定してしまい、実際のサーフボードに乗る感覚とはかけ離れた感覚になるという問題点があった。この発明は、このような課題を解決するためになされたものである。
【課題を解決するための手段】
【０００５】
本発明に係るバランスボードは、前後方向の底面両側に段部を有すると共に底面に微小凹凸が形成された板状の本体と、前記本体を支持する紙管からなるローラとを備えたことを特徴とする。
【０００６】
また、本発明に係るバランスボードは、上記発明において、更に、前記本体の幅方向に凹凸を形成したことを特徴とする。
【０００７】
また、本発明に係るバランスボードは、上記発明において、更に、前記本体の幅方向に前記裏面が湾曲していることを特徴とする。
【０００８】
また、本発明に係るバランスボードは、上記発明において、更に、前記ローラの長さが、前記本体の長さより長いことを特徴とする。
【０００９】
また、本発明に係るバランスボードは、底面両側に段部を設け当該段部と段部との間に弾性板を設けた板状の本体と、本体の上部に配置され且つ当該本体との間にスライド手段を有するスライド本体と、本体とスライド本体との間であってそのスライド方向に設けたスプリングと、前記弾性体の下に配置するためのローラとを備えたことを特徴とする。
【００１０】
また、本発明に係るバランスボードは、上記発明において、更に、前記本体に垂直部が垂設され、スライド本体には前記垂直部が入る開口部を有すると共に当該開口部にブラケットが設けられ、この垂直部とブラケットとの間に前記スプリングが着脱自在に配置され、開口部には着脱自在に蓋が設けられることを特徴とする。
【００１１】
また、本発明に係るバランスボードは、底面両側に段部を設け当該段部と段部との間に弾性板を設けた板状の本体と、前記本体を支持する紙管からなるローラとを備えたことを特徴とするバランスボード。
【図面の簡単な説明】
【００１２】
【図１】この発明の実施の形態１にかかるバランスボードを示す平面図である。
【図２】図１のＡ−Ａ断面図である。
【図３】図２の一部拡大断面図である。
【図４】本体を示す平面図である。
【図５】本体を示す裏面図である。
【図６】スライド本体を示す平面図である。
【図７】スライド本体を示す裏面図である。
【図８】ローラの組立図である。
【図９】このバランスボードの使用方法を示す説明図である。
【図１０】バランスボードの使用状態を示す説明図である。
【図１１】バランスボードの使用状態を示す説明図である。
【図１２】この発明の実施の形態２にかかるバランスボードを示す平面図である。
【図１３】図１２のバランスボードのＡ−Ａ断面図である。
【図１４】図１２の一部拡大断面図である。
【図１５】この発明の実施の形態３にかかるバランスボードを示す平面図である。
【図１６】図１５のＡ−Ａ断面図である。
【図１７】バランスボードを示す平面図である。
【図１８】図１７のバランスボードのＡ−Ａ断面図である。
【図１９】図１７に示したバランスボードの使用状態を示す説明図である。
【図２０】図１７に示したバランスボードの変形例を示す幅方向断面図である。
【図２１】図１７に示したバランスボードの変形例を示す説明図である。
【図２２】図１７に示したバランスボードの変形例を示す説明図である。
【図２３】この発明の実施の形態５にかかるバランスボードを示す平面図である。
【図２４】図２３のバランスボードのＡ−Ａ断面図である。
【図２５】バランスボードの使用状態を示す説明図である。
【発明を実施するための形態】
【００１３】
（実施の形態１）
図１は、この発明の実施の形態１にかかるバランスボードを示す平面図である。図２は、図１のＡ−Ａ
断面図である。図３は、図２の一部拡大断面図である。図４は、本体を示す平面図である。図５は、本体を示す裏面図である。図６は、スライド本体を示す平面図である。図７は、スライド本体を示す裏面図である。図８は、ローラの組立図である。このバランスボード１００は、略矩形の板状の本体１と、本体１の上に配置する楕円形のスライド本体２と、本体１の下に配置するローラ３とから構成される。
【００１４】
本体１は、しなりの少ない積層合板、例えば９層に積層接着したメイプル材からなる。本体１の底面の長手方向両側には段部４が設けられている。この段部４と段部４との間には、弾性板５が渡され当該弾性板５の両端で前記段部４にボルト６で固定されている。弾性板５には本体１に比較して弾力性がある材料を用いる。弾性板５は、ブナ、ポプラ、竹等の木材の積層合板の周囲を２層以上のファイバーグラスでコーティングした構造である。また、図４及び図５に示すように、本体１の中央には断面が逆Ｔ字形状の金属製のスプリング固定部材７が設けられている。このスプリング固定部材７は、平面部８に垂直部９が垂設され、この垂直部９と平面部８との間には、垂直部９が面に垂直方向の荷重に耐えうるように三角のリブ１０が設けられている。この垂直部９は、本体１の裏面から本体１の穴１１を通じて表側に突出する。スプリング固定部材７は、本体１裏面に対してネジ固定される。
【００１５】
また、垂直部９の中央にはピン１２が固定されている。このピン１２は中央付近にネジが切られており、両面からナットで固定される（図示省略）。ピン１２の両端は半球状に加工されている。なお、このピン１２は、垂直部９に対して溶接しても良い。また、本体１の長手方向の側面にはスライド本体２を被せた状態で当該スライド本体２が外れないようにするための長溝１３が設けられている。
【００１６】
前記スライド本体２は、楕円形の中央に矩形の開口部１４を備え、この開口部１４の周囲にスプリング１５を固定し且つ蓋１６を固定するための金属製のブラケット１７が設けられている。このブラケット１７は、つば１８にてスライド本体２の表面にネジ固定され、差込部１９が開口部１４に差し込まれ、内側の周縁に蓋１６を嵌め込む段部２０が形成されている。蓋１６は透明のプラスチック製であり、開口部１４に着脱自在である。また、スライド本体２の裏側周囲には段部２２が形成され、この段部２２により形成された凹部２３に対して前記本体１が入る。スライド本体２の裏面には、スライド手段として、長手方向左右に２個のスライドローラ２４が設けられている。スライドローラ２４の両端は軸受けにて軸支されている。スライドローラ２４は、プラスチック製のローラ軸の周面にゴムを貼り付けた構造である。このスライドローラ２４は、本体１上にスライド本体２を被せたときに当該本体１の上面に接し、スライド本体２をスライド可能に支持する。また凹部２３の幅は本体１の幅より若干大きく、この凹部２３が実質的にスライド本体２のスライド方向を規制する。即ち、スライド本体２は凹部２３によりガイドされ、前記本体１に対して楕円形の長手方向にスライド可能となる。なお、長手方向の凹部２３と本体１との間隔が本体１に対するスライド本体２の最大移動量となる。
【００１７】
垂直部９は開口部１４に入り、垂直部９の両側であって当該垂直部９とブラケット１７の差込部との間には、スライド方向にそれぞれスプリング１５が設けられている。このスプリング１５は、圧縮された状態で配置され且つ前記ピン１２をスプリング１５の中心に挿入することで位置決めされる。なお、スライド本体２を本体１に被せる前に前記スプリング１５をピン１２に挿入しておき、圧縮させた状態でスライド本体２を被せるようにする。これにより、スプリング１５が垂直部９とブラケット１７との間に加圧状態で配置される。なお、スライド本体２を本体１に被せた状態で、スライド本体２の長手方向側面の中央に設けたネジ穴３２に固定ネジ３３を螺合し、前記本体１側面の長溝１３に固定ネジ３３の先端が挿入されるようにする。これにより、スライド本体２を本体１に対してスライド可能に固定できる。
【００１８】
なお、スプリング１５は左右２つ用いたがこれに限定されない。スライド本体２のスライドし易さを考慮して左右４つ以上用いてもよい。また、前記スプリング１５はコイルスプリングとしたが、これに代えて垂直部９とブラケット１７との間に板バネを配置しても良い（図示省略）。更に、スライド本体２を本体１から取り外すことでスプリング１５の交換を容易に行うことができる。このため、異なるバネ定数を有するスプリング１５と交換できる。スライド本体２の開口部１４には透明の蓋１６が設けられているので、ユーザは開口部１４内のスプリング１５を外部から見ることができる。このため、スプリング１５を着色する等により、当該スライド本体２の機能をデザイン的に表現できる。
【００１９】
ローラ３は、厚紙を複数に積層して円筒状に成形した硬質の中空芯２５と、この中空芯２５の両側に設けたゴム製の蓋２６とからなる。ローラ３の長さは３０ｃｍ以上６０ｃｍ以下である。ローラ３の直径は５ｃｍ以上２０ｃｍ以下である。
【００２０】
図９は、このバランスボードの使用方法を示す説明図である。図１０及び図１１は、バランスボードの使用状態を示す説明図である。ユーザはローラ３を地面に置き、その上に本体１及びスライド本体２を載せ、バランスボード１００の上に乗る。ユーザの体重が加わると、本体１の弾性板が湾曲状にしなってローラ３が中央に移動する力が働く。そして、ユーザが体重移動することで全体が斜めに傾き、更にスライド本体２が本体１上を移動する。図１０の例では、バランスボード１００が右に移動するとユーザはこれを戻すように左側に体重を移動させるので、右斜め上にバランスボード１００が傾く。このとき、スライド本体２は本体１に対して左方向に移動する。スライド本体２の本体１に対する移動はスプリング１５の弾性力により規制される。一方、図１１の例では、バランスボード１００が左に移動するとユーザはこれを戻すように右側に体重を移動させるので、左斜め上にバランスボード１００が傾く。このとき、スライド本体２は本体１に対して右方向に移動する。この場合も、スライド本体２の本体１に対する移動はスプリング１５の弾性力により規制される。
【００２１】
以上、この発明のバランスボード１００によれば、弾性板５がしなってローラ３の動きに安定感を出し、ユーザが体重移動しても単にローラ３が転がっている感覚ではなく、スライド本体２の移動も加わり、水面に近い感覚が得られる。即ち、実際のサーフィンに近い感覚が得られる。また、バネ定数の異なるスプリング１５を用いることで異なる使用感覚を得ることができる。例えば高いバネ定数のスプリング１５の場合、本体１に対してスライド本体２が移動しにくくなるので、ローラ３の感覚がユーザに伝わりやすい。一方低いバネ定数のスプリング１５の場合、スライド本体２が移動しやすいのでローラ３の感覚がダイレクトに伝わることがなく、より浮遊感覚を得ることができる。なお、ローラ３の代わりに、別の部材（例えばゴム製の半球状体等）を用いてもよい。また、上記ローラ２４を省略し、本体１の表面とスライド本体２の裏面に滑りがよくなる加工を施し、本体１とスライド本体２とが摺動しながらスライドするようにしても良い。
【００２２】
（実施の形態２）
図１２は、この発明の実施の形態２にかかるバランスボードを示す平面図である。図１３は、図１２のバランスボードのＡ−Ａ断面図である。図１４は、図１２の一部拡大断面図である。このバランスボード２００は実施の形態１のバランスボード１００と略同じ構造であるが、スライド本体２の形状と、スプリング２０１の取付形態とが異なる。そのほかの点は実施の形態１と同じであるので、その説明を省略する。このバランスボード２００は、スプリング２０１として引張りコイルバネを用い、スプリング固定部材７の垂直部９の先端縁部に、スプリング２０１のフック２０２を取り付ける穴２０３を複数設けたリブ２０４を形成している。また、スライド本体２の開口部１４のブラケット１７にも、スプリング２０１のフック２０２を取り付ける穴２０３を複数設けたリブ２０５が形成されている。
【００２３】
スプリング２０１は、スプリング固定部材７のリブ２０５とブラケット１７のリブ２０４との間に左右合計８つが配置されている。このスプリング２０１は透明の蓋１６を取り外すことでユーザが簡単に交換できる。即ち、８個のスプリング２０１の合計で所定のバネ定数を得るようにしているので、個々のスプリング２０１のバネ定数は低く、またフック２０２をリブ２０４，２０５に引っ掛けるだけなので、比較的簡単にスプリング２０１の着脱が可能となる。このため、スライド本体２の合計のバネ定数の調整が簡単に行えるようになり、よってバランスボード使用時の感覚を自由に変更できるようになる。
【００２４】
（実施の形態３）
図１５は、この発明の実施の形態３にかかるバランスボードを示す平面図である。図１６は、図１５のＡ−Ａ断面図である。このバランスボード３００は実施の形態１のバランスボード１００のスライド本体２を省略したものである。このバランスボード３００は楕円形の本体３０１と、本体３０１の下に配置するローラ３とから構成される。このバランスボード３０１の裏面の長手方向両側には段部３０４が設けられ、この段部３０４と段部３０４の間には弾性板５が渡され、当該弾性板５の両端で前記段部３０４にボルト６で固定されている。本体３０１は、しなりの少ない積層合板、例えば９層に積層接着したメイプル材からなる。弾性板５には本体３０１に比較して弾力性がある材料を用いる。例えば、弾性板は前記本体３０１より少ない層の積層合板の周囲をＦＲＰでコーティングした構造である。なお、スプリング固定部材７は省略される。
【００２５】
このバランスボード３００は、ユーザはローラ３を地面に置き、その上に本体３０１を載せ、バランスボード３００の上に乗る。ユーザの体重が加わると、本体３０１の弾性板５が湾曲状にしなってローラ３が中央に移動する力が働く。これにより、ローラ３の動きに安定感を出すことができる。また、スライド本体２を省略しているので、全体構造が簡単である。
【００２６】
（実施の形態４）
図１７は、この発明の実施の形態４にかかるバランスボードを示す平面図である。図１８は、図１７のバランスボードのＡ−Ａ断面図である。このバランスボード５００は、木製の板からなる長方形の本体５０１と、紙製のローラ５０３とから構成される。本体５０１の裏面の長手方向の両側には、ローラ５０３の前後方向の移動を規制する段部５０２が設けられる。
【００２７】
本体５０１は、単板でもよいし積層合板でもよい。単板には、例えば桧、杉等を用いることができる。積層合板としては、例えば９層に積層接着したメイプル材を用いる。本体５０１の裏面５０１ａは平面である。この本体５０１の裏面５０１ａは、サンドペーパーやヤスリ等により毛羽立たせて微小凹凸を形成し、ローラ５０３の表面との間でスリップが生じ難いようにする。一方で完全にスリップしないようにすると、本体５０１が旋回ないし方向転換し難くなるので、裏面５０１ａに微小凹凸を形成する位が好ましい。微小凹凸は、適切なスリップ感覚が得られるよう、例えばシボや梨地でも良いし、微小高さを有するヘアラインでも良い。具体的には微小凹凸の表面粗さは、中心線平均粗さで０．８ｍｍ以下とする。なお、本体５０１の厚さは、７ｍｍ以上３０ｍｍ以下とするのが好ましい。また、本体５０１は、楕円形であっても良い。
【００２８】
また、本体５０１は、ユーザが乗っても弾性変形して撓ることがない程度の剛性のものを用いる。また、ローラ５０３の転がりをソフトにするため、本体５０１の裏面５０１ａに皮やゴムを張り付けても良い。
【００２９】
ローラ５０３は、複数の紙を筒状に積層して相互に接着した素材をシームレスに結合させた紙管である。厚さは、１ｃｍ以上２ｃｍ以下が好ましい。表面は樹脂によりコーティングされていても良い。ローラ５０３には１００ｋｇまでの体重のユーザが乗ってもつぶれない剛性を持つ紙管を採用する。紙管からなるローラ５０３であれば、床面に傷が付き難い。また、表層の微妙なつぶれ具合が本体５０１の支持やころがり具合に適当であるためである。ローラ５０３の長さは３０ｃｍ以上６０ｃｍ以下である。ローラ５０３の直径は５ｃｍ以上２０ｃｍ以下である。長さは、本体５０１の幅よりも大きくする。これにより、本体５０１がローラ５０３に対してずれても本体５０１がローラ５０３上に載っている状態を維持できる。本体両端の段部５０２は、本体５０１の裏面５０１ａからの高さが１ｃｍ以上３ｃｍ以下となるようにするのが好ましい。
【００３０】
ユーザはローラ５０３を地面におき、その上に本体５０１を載せ、本体５０１の上に乗る。このバランスボード５００では、本体５０１がローラ５０３により前後方向の上下に動き、本体５０１がローラ５０３により転がって前後方向に移動する。このため、ユーザは本体５０１の端部が着地しないようにバランスを保ちながら本体５０１に乗って遊ぶ。また、ローラ５０３は本体５０１に対して相対位置が固定されていないので、図１９に示すように、ローラ５０３に対して本体が旋回するように動かすことができる。なお、ローラ５０３と本体５０１の裏面５０１ａとのすべり具合により旋回容易性が決まる。これにより実際の海でのサーフボードに近い状態で練習でき、バランス感覚が鍛えられる。
【００３１】
また、図２０の幅方向断面図に示すように、裏面５０１ａに本体幅方向に湾曲する湾曲面を設けても良い。このようにすれば、裏面５０１ａとローラ５０３との接触面積が小さくなり、且つ、１箇所５０１ｂに集まるため、当該１箇所５０１ｂを中心に本体５０１を回転させ易くなる。このため、海でのサーフボードの方向転換のような動きが可能になる。これにより実際の海でのサーフボードに近い状態で練習でき、バランス感覚が鍛えられる。
【００３２】
更に、図２１に示すように、本体５０１の裏面５０１ａに複数の凹凸５０５を形成しても良い。この凹凸５０５は、同図（ｂ）に示すように、本体５０１の幅方向に多数形成される。凹凸５０５はヘアラインのような微細なものではなく、その高さは１ｍｍ〜５ｍｍのものである。凹凸５０５を形成することで、本体５０１の裏面５０１ａが同図（ａ）に示すようにローラ５０３に対して喰い込むことで、旋回し難くする。また、またローラ５０３が本体５０１に対して転がり難くなる。これにより、本体５０１が乗り易くなり初心者用に最適なものとなる。凹凸５０５の形状は、断面形状が三角でも四角でも良い。
【００３３】
図２２は、図１７に示したバランスボードの変形例を示す説明図である。このバランスボード５５０は、段部５０２を本体５０１の前後方向に可動する構成にした点に特徴があり、その他の構成は、図１７に示したバランスボードと同じである。段部５０２は、本体５０１と別体となり、同図（ｂ）に示すような本体５０１の裏面５０１ａの前後方向に設けた蟻溝等のガイド部５５１によりスライド可能である。中央には、同図（ｃ）の拡大図に示すような、ネジ込み式のストッパ構造５５２が形成されている。本体５０１の裏面５０１ａにはネジ５５３の先端に設けたブロック体５５４が押しつけられる固定面５５５が設けられる。当該固定面５５５は、表面粗さが大きく、ブロック体５５４の面が滑らないようになっている。ブロック体５５４の背面にはネジ５５３が設けられ、段部５５２の穴５５６に螺合される。段部５０２の位置を変更するには、ネジ５５３を緩めてブロック体５５４と裏面５０１ａとを離し、段部５５２をガイド部５５１に沿って所望の位置まで移動させる。再び当該位置にてネジ５５３を締めるとブロック体５５４が固定面５５５に押し付けられ、段部５０２が固定される。
【００３４】
このように段部５０２を移動して所望の位置で固定できるようにすることで、単体５０１に対するローラ５０３の転がり量を調整できる。例えば、練習に慣れないときには、段部５０２の間隔を小さくして全体の移動量（ローラ５０３が転がり本体５０１が移動する量）を小さくし、本体５０１に乗り易くする。慣れてきたら、段部５０２の幅を広げて移動量を大きくする。その他の使用法は、図１７のバランスボード５００と同様である。また、この図２２のバランスボード５５０に対して図２１に示すような凹凸５０５を形成することもできる。
【００３５】
（実施の形態５）
図２３は、この発明の実施の形態５にかかるバランスボードを示す平面図である。図２４は、図２３のバランスボードのＡ−Ａ断面図である。このバランスボードは、実施の形態４に係るバランスボード５００と略同じ構成であるが、ローラ５６３が長い点、段部が柱形状の突起となっている点が異なる。その他の構成は実施の形態４と同じである。このローラ５６３は、本体５０１の長さよりも長い。また、段部５６２は高くなっており、地面と段部５６２との下端との間隔ｈが上記実施の形態１〜４における段部と地面との間隔よりも小さい。例えば、間隔ｈを２ｃｍ以上６ｃｍ以下とする。これにより、本体５６１が比較的小さく傾いても段部５６２が地面に接地するので、本体５６１に乗り易い。
【００３６】
また、図２５に示すように、本体５０１にユーザが乗って本体５０１を旋回するように動かすことができる。特に、ローラ５６３が本体５０１よりも長いため、本体５０１を旋回させても本体５０１がローラ５６３の上に乗ったままになる。このため、前後のバランスから旋回させて左右のバランスを取るように遊ぶことができる。更に、段部５６２が柱形状の突起であるため、段部５６２がローラ５６３に干渉するまで本体５０１を９０度近く旋回させることができる。
【００３７】
また、段部５６２の下端と地面との間隔ｈが小さいので、本体５０１の少しの傾きでも当該段部５６２が地面に接地する。このため、ユーザは、楽にバランスボード５６０に乗ることができる。なお、前記ローラ５６３の長さは、少なくとも本体５０１の長さより長ければ良い。例えば、ローラ５６３の長さは、本体５０１の長辺方向の長さの１．１倍〜２．５倍である。また、図示しないが、ローラ５６３の長さを本体５０１の３倍以上にし、一つのローラ５６３に２つ以上の本体５０１を載せて遊ぶこともできる。
【符号の説明】
【００３８】
１００  バランスボード
１  本体
２  スライド本体
３  ローラ
５  弾性板
７  スプリング固定部材
１５  スプリング
１６  蓋
１７  ブラケット
【図１】
2013230279.tif 000003
【図２】
2013230279.tif 000004
【図３】
2013230279.tif 000005
【図４】
2013230279.tif 000006
【図５】
2013230279.tif 000007
【図６】
2013230279.tif 000008
【図７】
2013230279.tif 000009
【図８】
2013230279.tif 000010
【図９】
2013230279.tif 000011
【図１０】
2013230279.tif 000012
【図１１】
2013230279.tif 000013
【図１２】
2013230279.tif 000014
【図１３】
2013230279.tif 000015
【図１４】
2013230279.tif 000016
【図１５】
2013230279.tif 000017
【図１６】
2013230279.tif 000018
【図１７】
2013230279.tif 000019
【図１８】
2013230279.tif 000020
【図１９】
2013230279.tif 000021
【図２０】
2013230279.tif 000022
【図２１】
2013230279.tif 000023
【図２２】
2013230279.tif 000024
【図２３】
2013230279.tif 000025
【図２４】
2013230279.tif 000026
【図２５】
2013230279.tif 000027